(57)【要約】【課題】  機器の電源がオフのときや機器にセットされていない状態であっても、情報記憶媒体やバッテリの容量情報（例えば、使用量、残容量など）や情報記憶媒体に記憶されているデータの内容を確認できるようにする。【解決手段】  表示している情報を書き換えるときのみ電力を必要とし、且つ、表示している情報の表示状態を維持するための電力を必要としない情報表示手段を情報記憶媒体やバッテリに設け、電子機器には、情報記憶媒体の記憶容量やバッテリの電力容量の容量情報、情報記憶媒体に記憶されているデータの属性情報などを取得して管理する管理手段と、管理手段で管理している情報に基づいて状態表示情報や表示画像情報を表示したり、書き換えを行う表示情報書換手段を設け、電子機器の制御によって、情報記憶媒体やバッテリの情報表示手段に状態表示情報や表示画像情報を表示させたり、表示している情報の書き換えを行う。【選択図】  図１
2006020263.tif 000002
【特許請求の範囲】
【請求項１】
電子機器に着脱可能な情報記憶媒体であって、
表示している情報を書き換えるときのみ電力を必要とし、且つ、該表示している情報の表示状態を維持するための電力を必要としない情報表示手段を備え、
前記情報表示手段は、前記電子機器の制御に従い、前記情報記憶媒体の記憶状態を示す状態表示情報を表示し、又、該表示している状態表示情報の書き換えを行うこと
を特徴とする情報記憶媒体。
【請求項２】
電子機器に装着して電力供給するバッテリであって、
表示している情報を書き換えるときのみ電力を必要とし、且つ、該情報の表示状態を維持するための電力を必要としない情報表示手段を備え、
前記情報表示手段は、前記電子機器の制御に従い、前記バッテリの電力蓄積状態を示す状態表示情報を表示し、又、該表示している状態表示情報の書き換えを行うこと
を特徴とするバッテリ。
【請求項３】
電子機器に装着して電力を供給するバッテリであって、
バッテリ内に蓄積している電力の容量情報を取得して管理する容量管理手段と、
前記容量管理手段で管理している容量情報に基づき、前記電力の蓄積状態を示す状態表示情報の書き換えを制御する表示情報書換手段と、
表示している情報を書き換えるときのみ電力を必要とし、且つ、該情報の表示状態を維持するための電力を必要としない情報表示手段と、を備え、
前記情報表示手段は、前記表示情報書換手段の制御に従い、前記状態表示情報を表示し、又、該表示している状態表示情報の書き換えを行うこと
を特徴とするバッテリ。
【請求項４】
前記容量管理手段は、定期的に前記容量情報を取得し、
前記表示情報書換手段は、前記容量管理手段が前記容量情報を取得するたびに前記状態表示情報を書き換えること
を特徴とする請求項３に記載のバッテリ。
【請求項５】
着脱可能な情報記憶媒体を使用することができる電子機器であって、
前記情報記憶媒体に記憶されているデータの容量情報を取得して管理する容量管理手段と、
前記容量管理手段で管理している前記容量情報に基づき、前記情報記憶媒体の記憶状態を示す状態表示情報を前記情報記憶媒体が持つ表示手段に表示させ、該状態表示情報の書き換えを制御する表示情報書換手段と、
を備えていること
を特徴とする電子機器。
【請求項６】
前記表示情報書換手段は、前記容量管理手段で管理している前記容量情報が変化しているときに前記状態表示情報を書き換えること
を特徴とする請求項５に記載の電子機器。
【請求項７】
更に、前記表示情報書換手段の制御に従って、前記状態表示情報を表示し、又、該表示している状態表示情報の書き換えを行う情報表示手段であって、
前記状態表示情報を書き換えるときのみ電力を必要とし、且つ、該状態表示情報の表示状態を維持するための電力を必要としない情報表示手段を設けたこと
を特徴とする請求項５に記載の電子機器。
【請求項８】
バッテリで動作させることのできる電子機器であって、
前記バッテリに蓄積されている電力の容量情報を取得して管理する容量管理手段と、
前記容量管理手段で管理している前記容量情報に基づき、前記バッテリの電力蓄積状態を示す状態表示情報を前記バッテリが持つ表示手段に表示させ、該状態表示情報の書き換えを制御する表示情報書換手段と、
を備えていること
を特徴とする電子機器。
【請求項９】
前記容量管理手段は、定期的に前記容量情報を取得し、
前記表示情報書換手段は、前記容量管理手段が前記容量情報を取得するたびに前記状態表示情報を書き換えること
を特徴とする請求項８に記載の電子機器。
【請求項１０】
更に、前記表示情報書換手段の制御に従って、前記状態表示情報を表示し、又、該表示している状態表示情報の書き換えを行う情報表示手段であって、
前記状態表示情報を書き換えるときのみ電力を必要とし、且つ、該状態表示情報の表示状態を維持するための電力を必要としない情報表示手段を設けたこと
を特徴とする請求項８に記載の電子機器。
【請求項１１】
電子機器に着脱可能な情報記憶媒体であって、
表示している情報を書き換えるときのみ電力を必要とし、且つ、該表示している情報の表示状態を維持するための電力を必要としない情報表示手段を備え、
前記情報表示手段は、前記電子機器の制御に従い、前記情報記憶媒体に記憶されているデータの内容を識別できる状態で示す表示画像情報を表示し、又、該表示している表示画像情報の書き換えを行うこと
を特徴とする情報記憶媒体。
【請求項１２】
着脱可能な情報記憶媒体を使用することができる電子機器であって、
前記情報記憶媒体に記憶されているデータの属性情報を取得して管理するデータ管理手段と、
前記情報記憶媒体から該当するデータを読み出し、該読み出したデータの内容を識別できる状態で示す表示画像情報を生成する表示画像生成手段と、
前記データ管理手段で管理している前記属性情報に基づいて前記表示画像生成手段を制御し、該表示画像生成手段で生成される表示画像情報を前記情報記憶媒体が持つ表示手段に表示させ、該表示画像情報の書き換えを行う表示情報書換手段と、
を備えていること
を特徴とする電子機器。
【請求項１３】
前記表示情報書換手段は、前記データ管理手段で管理している前記属性情報の更新状態を判別して前記表示画像情報を書き換えること
を特徴とする請求項１２に記載の電子機器。
【請求項１４】
更に、前記表示情報書換手段の制御に従って、前記表示画像情報を表示し、又、該表示している表示画像情報の書き換えを行う情報表示手段であって、
前記表示画像情報を書き換えるときのみ電力を必要とし、且つ、該表示画像情報の表示状態を維持するための電力を必要としない情報表示手段を設けたこと
を特徴とする請求項１２に記載の電子機器。
【発明の詳細な説明】
【技術分野】
【０００１】
本発明は、情報記憶媒体及びバッテリ及び電子機器に関するものである。詳細は、機器の電源がオフであったり、情報記憶媒体やバッテリを機器にセットしない状態であっても容量情報（例えば、使用量、残容量など）や情報記憶媒体に記憶されているデータの内容を確認できる情報記憶媒体及びバッテリ及び電子機器に関するものである。
【背景技術】
【０００２】
従来技術において、情報記憶媒体のデータ記憶容量やバッテリの電力容量などは、情報記憶媒体やバッテリを使用する電子機器などにセットすることにより確認することができる。また、情報記憶媒体に記憶されているデータの内容も電子機器などにセットすることによって確認することができる。
【０００３】
例えば、情報記憶媒体の場合、図１２（ａ）に示すように、電子機器１０ａに情報記憶媒体２０ａをセットし、ディスプレイ１４０に画面表示させることにより確認することができる。
【０００４】
しかしながら、図１２（ｂ）に示すように、電子機器１０ａから情報記憶媒体２０ａを取り外した状態では、情報記憶媒体のデータ記憶容量やデータの内容を確認することができないという問題がある。
【０００５】
そこで、情報記憶媒体を機器にセットしなくても記憶可能な残容量や使用量を確認できるように、着脱可能な記録媒体を保持し、所定の画像情報を記録し再生する記録再生機能と、記録媒体の記憶領域の残量情報と使用量情報との少なくとも一方を記録媒体ごとに検出し記憶する記憶機能と、この残量情報と使用量情報との少なくとも一方を表示するための表示信号を生成する機能を有し、記録媒体をセットしなくても複数の記録媒体の残量を画面表示して確認できる画像記録再生装置などが考案されている（特許文献１参照）。
【０００６】
また、情報記憶媒体を機器にセットしなくても記憶しているデータの内容を確認できるように、カード形の容器内にデータ保持用電池、ＩＣメモリ、液晶表示器及び表示制御回路を内蔵し、ＩＣメモリの特定記憶領域（番地）に書き込まれているファイル名、レビジョン、日付など必要な情報を、表示制御回路を駆動させて周期的に読み出し、これを液晶表示器に表示し、情報処理装置を接続することなく必要な情報をＩＣカード上に表示できる記憶媒体なども考案されている（特許文献２参照）。
【特許文献１】特開２００３−１５１２４４号公報（第３頁、図１）
【特許文献２】特開平５−７３７３５号公報（第２−３頁、図１）
【発明の開示】
【発明が解決しようとする課題】
【０００７】
しかしながら、情報記憶媒体やバッテリの容量情報（残容量、使用量など）を確認するためには、機器にセットした状態で確認する、若しくは、容量情報を機器側に記憶しておいて画面表示させる、というように、容量情報を表示するための機器がないと確認できず、また、機器にセットしている状態であっても、機器の電源がオフの場合、容量情報を確認することができないという問題がある。
【０００８】
また、上述した特開平５−７３７３５号公報の記憶媒体の場合、記憶されているデータの内容を表示するため、記憶媒体に電源を組み込む必要があり、構造が複雑となり、コストもかかってしまうという問題がある。
【０００９】
また、バッテリの場合は、バッテリ自体に表示部を設け、自己の電力を使用することによって残容量などを表示させることも可能であるが、表示状態を保持しておくためには電力が必要であり、機器に供給するための電力を消耗してしまうという問題がある。
【００１０】
従って、機器の電源がオフのときや機器にセットされていない状態であっても、情報記憶媒体・バッテリの容量情報（使用量、残容量など）や情報記憶媒体に記憶されているデータの内容を確認できるようにすることに解決しなければならない課題を有する。
【課題を解決するための手段】
【００１１】
前記課題を解決するため、本発明に係る情報記憶媒体及びバッテリ及び電子機器は次のような構成にすることである。
【００１２】
（１）電子機器に着脱可能な情報記憶媒体であって、表示している情報を書き換えるときのみ電力を必要とし、且つ、該表示している情報の表示状態を維持するための電力を必要としない情報表示手段を備え、前記情報表示手段は、前記電子機器の制御に従い、前記情報記憶媒体の記憶状態を示す状態表示情報を表示し、又、該表示している状態表示情報の書き換えを行うことを特徴とする情報記憶媒体。
【００１３】
（２）電子機器に装着して電力供給するバッテリであって、表示している情報を書き換えるときのみ電力を必要とし、且つ、該情報の表示状態を維持するための電力を必要としない情報表示手段を備え、前記情報表示手段は、前記電子機器の制御に従い、前記バッテリの電力蓄積状態を示す状態表示情報を表示し、又、該表示している状態表示情報の書き換えを行うことを特徴とするバッテリ。
【００１４】
（３）電子機器に装着して電力を供給するバッテリであって、バッテリ内に蓄積している電力の容量情報を取得して管理する容量管理手段と、前記容量管理手段で管理している容量情報に基づき、前記電力の蓄積状態を示す状態表示情報の書き換えを制御する表示情報書換手段と、表示している情報を書き換えるときのみ電力を必要とし、且つ、該情報の表示状態を維持するための電力を必要としない情報表示手段と、を備え、前記情報表示手段は、前記表示情報書換手段の制御に従い、前記状態表示情報を表示し、又、該表示している状態表示情報の書き換えを行うことを特徴とするバッテリ。
（４）前記容量管理手段は、定期的に前記容量情報を取得し、前記表示情報書換手段は、前記容量管理手段が前記容量情報を取得するたびに前記状態表示情報を書き換えることを特徴とする（３）に記載のバッテリ。
【００１５】
（５）着脱可能な情報記憶媒体を使用することができる電子機器であって、前記情報記憶媒体に記憶されているデータの容量情報を取得して管理する容量管理手段と、前記容量管理手段で管理している前記容量情報に基づき、前記情報記憶媒体の記憶状態を示す状態表示情報を前記情報記憶媒体が持つ表示手段に表示させ、該状態表示情報の書き換えを制御する表示情報書換手段と、を備えていることを特徴とする電子機器。
（６）前記表示情報書換手段は、前記容量管理手段で管理している前記容量情報が変化しているときに前記状態表示情報を書き換えることを特徴とする（５）に記載の電子機器。
（７）更に、前記表示情報書換手段の制御に従って、前記状態表示情報を表示し、又、該表示している状態表示情報の書き換えを行う情報表示手段であって、前記状態表示情報を書き換えるときのみ電力を必要とし、且つ、該状態表示情報の表示状態を維持するための電力を必要としない情報表示手段を設けたことを特徴とする（５）に記載の電子機器。
【００１６】
（８）バッテリで動作させることのできる電子機器であって、前記バッテリに蓄積されている電力の容量情報を取得して管理する容量管理手段と、前記容量管理手段で管理している前記容量情報に基づき、前記バッテリの電力蓄積状態を示す状態表示情報を前記バッテリが持つ表示手段に表示させ、該状態表示情報の書き換えを制御する表示情報書換手段と、を備えていることを特徴とする電子機器。
（９）前記容量管理手段は、定期的に前記容量情報を取得し、前記表示情報書換手段は、前記容量管理手段が前記容量情報を取得するたびに前記状態表示情報を書き換えることを特徴とする（８）に記載の電子機器。
（１０）更に、前記表示情報書換手段の制御に従って、前記状態表示情報を表示し、又、該表示している状態表示情報の書き換えを行う情報表示手段であって、前記状態表示情報を書き換えるときのみ電力を必要とし、且つ、該状態表示情報の表示状態を維持するための電力を必要としない情報表示手段を設けたことを特徴とする（８）に記載の電子機器。
【００１７】
（１１）電子機器に着脱可能な情報記憶媒体であって、表示している情報を書き換えるときのみ電力を必要とし、且つ、該表示している情報の表示状態を維持するための電力を必要としない情報表示手段を備え、前記情報表示手段は、前記電子機器の制御に従い、前記情報記憶媒体に記憶されているデータの内容を識別できる状態で示す表示画像情報を表示し、又、該表示している表示画像情報の書き換えを行うことを特徴とする情報記憶媒体。
【００１８】
（１２）着脱可能な情報記憶媒体を使用することができる電子機器であって、前記情報記憶媒体に記憶されているデータの属性情報を取得して管理するデータ管理手段と、前記情報記憶媒体から該当するデータを読み出し、該読み出したデータの内容を識別できる状態で示す表示画像情報を生成する表示画像生成手段と、前記データ管理手段で管理している前記属性情報に基づいて前記表示画像生成手段を制御し、該表示画像生成手段で生成される表示画像情報を前記情報記憶媒体が持つ表示手段に表示させ、該表示画像情報の書き換えを行う表示情報書換手段と、を備えていることを特徴とする電子機器。
（１３）前記表示情報書換手段は、前記データ管理手段で管理している前記属性情報の更新状態を判別して前記表示画像情報を書き換えることを特徴とする（１２）に記載の電子機器。
（１４）更に、前記表示情報書換手段の制御に従って、前記表示画像情報を表示し、又、該表示している表示画像情報の書き換えを行う情報表示手段であって、前記表示画像情報を書き換えるときのみ電力を必要とし、且つ、該表示画像情報の表示状態を維持するための電力を必要としない情報表示手段を設けたことを特徴とする（１２）に記載の電子機器。
【００１９】
本発明は、情報記憶媒体の記憶状態やバッテリの電力蓄積状態を示す状態表示情報を表示する情報表示手段であって、表示している情報を書き換えるときのみ電力を必要とし、情報の表示状態を維持するための電力を必要としない情報表示手段を情報記憶媒体やバッテリ自体に設ける。一方、電子機器には、情報記憶媒体の記憶容量やバッテリの電力容量などの容量情報を管理する容量管理手段と、この容量情報に基づいて状態表示情報の書き換えを制御する表示情報書換手段を設けた構成とする。
【００２０】
このような構成により、情報記憶媒体やバッテリが機器にセットされていない状態であっても、電力を消費せずに情報記憶媒体やバッテリ自体に状態表示情報を表示させておくことができる。
【００２１】
また、バッテリに上記電子機器と同様の容量管理手段及び表示情報書換手段を設けることにより、バッテリ自体で電力蓄積状態を更新できるようになる。
【００２２】
更に、電子機器側に上記情報記憶媒体やバッテリと同様の情報表示手段を設けることにより、機器の電源がオフであっても情報記憶媒体やバッテリの状態表示情報を表示させておくことができる。
【００２３】
また、情報記憶媒体に記憶されているデータの属性情報を取得して管理するデータ管理手段と、情報記憶媒体から該当データを読み出し、読み出したデータの内容を識別できる状態で示す表示画像情報を生成する表示画像生成手段と、データ管理手段で管理している属性情報に基づいて表示画像生成手段を制御し、表示画像生成手段で生成される表示画像情報を情報記憶媒体が持つ表示手段に表示させ、該表示画像情報の書き換えを行う表示情報書換手段とを電子機器に設ける。
【００２４】
そして、情報記憶媒体には、情報記憶媒体に記憶しているデータの内容を表示する表示手段であって、上記と同じく、表示している情報を書き換えるときのみ電力を必要とし、情報の表示状態を維持するための電力を必要としない情報表示手段を設けることにより、情報記憶媒体が機器にセットされていない状態であっても、電力を消費せず、情報記憶媒体に記憶しているデータ内容を示す表示画像情報を表示させておくことができる。
【発明の効果】
【００２５】
本発明では、表示している情報を変更するときのみ電力を必要とし、その表示状態を維持するための電力が必要ない情報表示部（例えば、電子ペーパーを利用した情報表示部）を情報記憶媒体やバッテリ自体に形成して、情報記憶媒体の記憶状態やバッテリの電力蓄積状態を示す状態表示情報や情報記憶媒体に記憶されているデータの内容を示す表示画像情報を表示させることにより、情報記憶媒体やバッテリを電子機器にセットしていなくても状態表示情報や表示画像情報が表示されたままの状態で維持されるので、一目で使用状態（使用量、残容量、使用割合、残容量割合等）やデータの内容を確認することができ、使用者の利便性が向上するという優れた効果を奏するものである。
【００２６】
また、上記と同様の電子ペーパーなどを利用した情報表示部を電子機器側に設けることで、機器の電源がオフであっても、情報記憶媒体、バッテリの使用状態（使用量、残容量、使用割合、残容量割合等）や情報記憶媒体に記憶されているデータの内容を機器に表示させておくことが可能になるという優れた効果を奏する。
【発明を実施するための最良の形態】
【００２７】
次に、本発明の情報記憶媒体及びバッテリ及び電子機器による実施の形態について図面を参照して説明する。但し、図面は専ら解説のためのものであって、本発明の技術的範囲を限定するものではない。
【実施例】
【００２８】
［第１実施例］
図１は、本発明に係る電子機器及び情報記憶媒体の主要部の構成を簡略化して示したブロック図であり、電子機器１０Ａと情報記憶媒体２０から構成されている。
【００２９】
電子機器１０Ａは、例えば、デジタルカメラのような機器であり、ＣＰＵ（Central Processing Unit）１１０，ＲＯＭ（Read Only Memory）１２０，ＲＡＭ（Random Access Memory）１３０，ディスプレイ１４０，インターフェース１４５（以下、Ｉ／Ｆ１４５），入力部１５０，メディアインターフェース１６０（以下、メディアＩ／Ｆ１６０）などを備え、バス１Ａを介してデータ、制御信号、電力などを送受する構成となっている。
【００３０】
ＣＰＵ１１０は、ＲＯＭ１２０に予め格納されているプログラムに従って機器内の各部を制御したり、バス１Ａを介して入力部１５０やＲＯＭ１２０，ＲＡＭ１３０から受け取ったデータなどを演算処理して出力する。
【００３１】
また、ＣＰＵ１１０は、容量管理部１１１と表示書換部１１２を備えており、容量管理部１１１は、メディアＩ／Ｆ１６０を介して、適宜、情報記憶媒体２０に記憶されているデータの記憶容量（以下、容量情報）を取得して管理し、表示書換部１１２は、容量管理部１１１で管理している容量情報に基づいて使用量、残容量、使用割合、残量割合などを算出し、情報記憶媒体２０におけるデータの記憶状態を示す状態表示情報の書き換えを制御する表示書換信号を生成してディスプレイ１４０や情報記憶媒体２０の情報表示部２３０に送る。
【００３２】
ＲＯＭ１２０は、ＣＰＵ１１０を動作させるプログラムなどが予め記憶されており、また、ＲＡＭ１３０は、ＣＰＵ１１０のメインメモリ(作業領域)として利用される。
【００３３】
ディスプレイ１４０は、ＣＰＵ１１０の制御に従い、Ｉ／Ｆ１４５を経由して送られてくるデータを画面表示したり、容量情報に基づいた状態表示情報（使用量、残容量、使用割合、残容量割合など）を画面表示する。
【００３４】
入力部１５０は、ユーザの操作に応じた操作信号をＣＰＵ１１０に送り、機器に所望の動作・処理を実行させたり、機器に対して所望の設定を行う。
【００３５】
メディアＩ／Ｆ１６０は、着脱可能な記録媒体である情報記憶媒体２０と接続し、ＣＰＵ１１０の制御に従って、バス１Ａを介して機器内から送られてくるデータなどを情報記憶媒体２０に送出し、情報記憶媒体２０から送られてくるデータなどを受信して機器内の所定部へ送る。
【００３６】
また、メディアＩ／Ｆ１６０は、ＣＰＵ１１０の制御に従って、情報記憶媒体２０の記憶部２２０から取得した容量情報を容量管理部１１１へ送り、また、表示書換部１１２からの表示書換信号を情報記憶媒体２０に送り出す。
【００３７】
一方、情報記憶媒体２０は、例えば、メモリカードのような電子機器１０Ａに着脱可能な記憶媒体であり、機器インターフェース２１０（以下、機器Ｉ／Ｆ２１０）、記憶部２２０，情報表示部２３０などを備え、バス２を介して送られてくるデータ、制御信号、電力などを送受する構成となっている。
【００３８】
機器Ｉ／Ｆ２１０は、電子機器１０ＡのメディアＩ／Ｆ１６０と接続し、バス２を介して記憶部２２０や情報表示部２３０とデータ、制御信号、電力などの送受を行う。
【００３９】
記憶部２２０は、電子機器１０Ａ（のＣＰＵ１１０）の制御に従い、機器Ｉ／Ｆ２１０を介して送られてくる電子機器１０Ａからのデータを記憶したり、記憶しているデータを読み出して電子機器１０Ａに送り出したり、記憶しているデータを消去したりする。また、機器Ｉ／Ｆ２１０を介し、電子機器１０Ａ（の容量管理部１１１）から容量情報の照会が行われる。
【００４０】
情報表示部２３０は、記憶部２２０におけるデータの記憶状態を示す状態表示情報を表示することができる表示部であり、表示状態を書き換えるときのみ電力が必要で、表示状態を維持（保持）するための電力が不要な電子ペーパーなどで形成される。
【００４１】
そして、情報表示部２３０は、電子機器１０Ａの制御に従い、電力が供給されると動作し、機器Ｉ／Ｆ２１０に介して送られてくる電子機器１０Ａ（の表示書換部１１２）からの表示書換信号に応じて、表示している状態表示情報の書き換えが行われ、書き換えが終了すると電力供給が停止されるが、状態表示情報を表示したままの状態で保持（維持）する。
【００４２】
なお、電子ペーパーとは、例えば、文字やグラフィックなどの表示側に配置する透明電極と背面側の電極との間に、プラスに帯電した白い粒子（酸化チタン）とマイナスに帯電した黒い粒子（カーボンブラック）が入ったマイクロカプセルを敷き詰め、表示状態を書き換えるときのみ、電極に電圧をかけてカプセル内の白と黒の粒子の移動を操作して、文字やグラフィックを表示させ、その後は電力不要で書き換えた状態を保持できるものであり、紙のように薄く、表示状態を簡単に書き換えることができるものである。
【００４３】
続いて、図１の電子機器及び情報記憶媒体による状態表示情報（データの記憶状態）の表示制御について、図２のフローチャートを参照しながら説明する。
【００４４】
まず、電子機器１０ＡのＣＰＵ１１０は、メディアＩ／Ｆ１６０から情報記憶媒体２０が取り外されているか否かを確認する（ＳＴ１０１）。
【００４５】
情報記憶媒体２０が電子機器１０Ａから取り外されている（セットされていない）場合、状態表示情報の表示制御を終了する（ＳＴ１０１→終了）。
【００４６】
情報記憶媒体２０がメディアＩ／Ｆ１６０にセット（接続）されている場合、電子機器１０ＡのＣＰＵ１１０は、容量管理部１１１によりメディアＩ／Ｆ１６０を介して情報記憶媒体２０の記憶部２２０の容量情報を取得して管理する（ＳＴ１０１→ＳＴ１０２）。
【００４７】
次に、電子機器１０ＡのＣＰＵ１１０は、容量管理部１１１で管理している情報記憶媒体２０の容量情報が変化しているか否かを確認する（ＳＴ１０３）。
【００４８】
ここで、情報記憶媒体２０の容量情報が変化していない場合、容量情報の変化を確認するまでの間、ステップＳＴ１０１以降の処理を繰り返し実行する（ＳＴ１０３→ＳＴ１０１→ＳＴ１０２→・・・）。
【００４９】
一方、ステップＳＴ１０３において、情報記憶媒体２０の容量情報が変化していた場合、若しくは、情報記憶媒体２０がメディアＩ／Ｆ１６０にセット（接続）された直後である場合、電子機器１０ＡのＣＰＵ１１０は、表示書換部１１２によって、容量管理部１１１で管理している容量情報に基づき、状態表示情報の書き換えを制御するための表示書換信号を生成し、メディアＩ／Ｆ１６０を介して情報記憶媒体２０に送出する（ＳＴ１０３→ＳＴ１０４）。
【００５０】
なお、ディスプレイ１４０に状態表示情報を表示している場合は、ディスプレイ１４０に対しても表示書換信号を送出する。
【００５１】
そして、情報記憶媒体２０では、機器Ｉ／Ｆ２１０を介して表示書換部１１２からの表示書換信号を受信すると、情報表示部２３０に電力が供給され、表示書換信号に応じて情報表示部２３０の状態表示情報の書き換えが行われる（ＳＴ１０５）。
【００５２】
情報表示部２３０は、書き換えが終了すると電力の供給が停止されるが、状態表示情報が表示されたままの状態で維持（保持）される。
【００５３】
また、ディスプレイ１４０で状態表示情報を表示している場合は、Ｉ／Ｆ１４５を経由して送られてきた表示書換信号に基づいて画面表示している状態表示情報の書き換えが行われる。
【００５４】
そして、再び、ステップＳＴ１０１の処理に戻り、上述した一連の処理が繰り返し実行される（ＳＴ１０５→ＳＴ１０１→ＳＴ１０２→・・・）。
【００５５】
このようにして、電子機器１０Ａに情報記憶媒体２０がセットされている間、情報記憶媒体２０の容量情報が変化すると、情報記憶媒体２０の情報表示部２３０に表示されている状態表示情報の書き換えが行われる。また、電子機器１０Ａのディスプレイに表示している場合も同様に、状態表示情報の書き換えが行われる。
【００５６】
図３は、電子機器１０Ａと情報記憶媒体２０による状態表示情報（データの記憶状態）の表示状態を模式的に示した図であり、図３（ａ）に示すように、電子機器１０Ａに情報記憶媒体２０がセットされている間、情報記憶媒体２０の情報表示部２３０に表示させる状態表示情報（データの記憶状態）と同じ情報をディスプレイ１４０などに表示させることができる。
【００５７】
そして、図３（ｂ）に示すように、電子機器１０Ａから情報記憶媒体２０を取り外し、電力が供給されなくなった状態であっても、情報記憶媒体２０の情報表示部２３０は、状態表示情報を表示したままの状態で保持（維持）しているので、電子機器１０Ａなどにセットしなくても、情報表示部２３０を見ることによりデータの記憶状態（例えば、使用量、残容量、使用割合、残容量割合など）を確認することができる。
【００５８】
また、電子機器１０Ａ側に情報記憶媒体２０と同じ情報表示部２３０を設けておくことで、電子機器１０Ａの電源をオフにした場合でも、セットされている情報記憶媒体２０の状態表示情報（データの記憶状態）を表示させておくことが可能となる。
【００５９】
［第２実施例］
図４は、本発明に係る電子機器及びバッテリの主要部の構成を簡略化して示したブロック図であり、電子機器１０Ｂとバッテリ３０から構成されている。
【００６０】
電子機器１０Ｂは、例えば、デジタルカメラのような機器であり、ＣＰＵ（Central Processing Unit）１１０，ＲＯＭ（Read Only Memory）１２０，ＲＡＭ（Random Access Memory）１３０，ディスプレイ１４０，インターフェース１４５（以下、Ｉ／Ｆ１４５），入力部１５０，電源部１７０などを備え、バス１Ｂを介してデータ、制御信号、電力などを送受する構成となっている。
【００６１】
ＣＰＵ１１０は、ＲＯＭ１２０に予め格納されているプログラムに従って機器内の各部を制御したり、バス１Ｂを介して入力部１５０やＲＯＭ１２０，ＲＡＭ１３０から受け取ったデータなどを演算処理して出力する。
【００６２】
また、ＣＰＵ１１０は、電源部１７０を介してバッテリ３０の電池部３３０に蓄積されている電力容量（以下、容量情報）を定期的に取得し、取得した容量情報に基づいて使用量、残容量、使用割合、残容量割合などを算出し、Ｉ／Ｆ１４５を介してバッテリ３０における電力の蓄積状態を示す状態表示情報をディスプレイ１４０に表示させる。
【００６３】
ＲＯＭ１２０は、ＣＰＵ１１０を動作させるプログラムなどが予め記憶されており、また、ＲＡＭ１３０は、ＣＰＵ１１０のメインメモリ(作業領域)として利用される。
【００６４】
ディスプレイ１４０は、ＣＰＵ１１０の制御に従い、Ｉ／Ｆ１４５を経由して送られてくるデータを画面表示したり、容量情報に基づいた状態表示情報を画面表示する。
【００６５】
入力部１５０は、ユーザの操作に応じた操作信号をＣＰＵ１１０に送り、機器に所望の動作・処理を実行させたり、機器に対して所望の設定を行う。
【００６６】
電源部１７０は、バス１Ｂを介し、バッテリ３０から供給される電力を機器内の各部へ配電する。また、バス１Ｂを介し、ＣＰＵ１１０からバッテリ３０の容量情報の照会が行われる。
【００６７】
一方、バッテリ３０は、電子機器１０Ｂに装着して電力を供給するものであり、ＣＰＵ（Central Processing Unit）３１０，記憶部３２０，電池部３３０，情報表示部３４０などを備え、バス３を介してデータ、制御信号、電力などを送受する構成となっている。
【００６８】
ＣＰＵ３１０は、記憶部３２０に予め格納されているプログラムに従って機器内の各部を制御したり、バス３を介して記憶部３２０から受け取ったデータなどを演算処理して出力する。
【００６９】
また、ＣＰＵ３１０は、容量管理部３１１と表示書換部３１２を備えており、容量管理部３１１は、バス３を介して、電池部３３０に蓄積されている電力容量（容量情報）を定期的に取得して管理し、表示書換部３１２は、容量管理部３１１で管理している容量情報に基づき、使用量、残容量、使用割合、残量割合などを算出し、電池部３３０の電力蓄積状態を示す状態表示情報の書き換えを制御する表示書換信号を生成して送り出す。
【００７０】
記憶部３２０は、ＲＯＭ（Read Only Memory）やＲＡＭ（Random Access Memory）などから構成され、ＲＯＭには、ＣＰＵ３１０を動作させるためのプログラムなどが予め記憶されており、また、ＲＡＭは、ＣＰＵ１１０のメインメモリ(作業領域)として利用される。
【００７１】
電池部３３０は、電子機器１０Ｂに供給する電力を蓄積しており、電子機器１０Ｂの電源部１７０と接続して蓄積している電力を供給する。また、バス３を介してＣＰＵ３１０の容量管理部３１１による容量情報の照会が行われる。
【００７２】
情報表示部３４０は、電池部３３０の電力蓄積状態を示す状態表示情報を表示することができる表示部であり、表示状態を書き換えるときのみ電力が必要で、表示状態を維持（保持）するための電力が不要な電子ペーパーなどで形成される。
【００７３】
そして、情報表示部３４０は、ＣＰＵ３１０の制御に従い、電力が供給されると動作し、表示書換部１１２からの表示書換信号に応じて、表示している状態表示情報の書き換えが行われ、書き換えが終了すると電力供給が停止されるが、状態表示情報を表示したままの状態で保持（維持）する。
【００７４】
なお、電子ペーパーとは、例えば、文字やグラフィックなどの表示側に配置する透明電極と背面側の電極との間に、プラスに帯電した白い粒子（酸化チタン）とマイナスに帯電した黒い粒子（カーボンブラック）が入ったマイクロカプセルを敷き詰め、表示状態を書き換えるときのみ、電極に電圧をかけてカプセル内の白と黒の粒子の移動を操作して、文字やグラフィックを表示させ、その後は電力不要で書き換えた状態を保持できるものであり、紙のように薄く、表示状態を簡単に書き換えることができるものである。
【００７５】
続いて、図４の電子機器及びバッテリによる状態表示情報（電力の蓄積状態）の表示制御について、図５のフローチャートを参照しながら説明する。
【００７６】
バッテリ３０は、ＣＰＵ３１０により、電子機器１０Ｂから取り外されているか否かを確認する（ＳＴ２０１）。
【００７７】
また、電子機器１０Ｂでは、ＣＰＵ１１０により、電源部１７０にバッテリ３０が接続されているか否かを確認する。
【００７８】
バッテリ３０が電子機器１０Ｂから取り外されている場合、状態表示情報の表示制御を終了する（ＳＴ２０１→終了）。
【００７９】
バッテリ３０が電子機器１０Ｂの電源部１７０にセット（接続）されている場合、バッテリ３０のＣＰＵ３１０は、所定時間が経過しているか否かを確認する（ＳＴ２０２）。
【００８０】
ここで、所定時間が経過するまで間、電子機器１０Ｂとバッテリ３０の接続状態の確認を繰り返す（ＳＴ２０２→ＳＴ２０１→・・・）。
【００８１】
所定時間が経過すると、バッテリ３０のＣＰＵ３１０は、容量管理部３１１によって、電池部３３０からバッテリの容量情報を取得して管理する（ＳＴ２０２→ＳＴ２０３）。
【００８２】
なお、電子機器１０Ｂのディスプレイ１４０に状態表示情報を表示する場合、電子機器１０ＢのＣＰＵ１１０は、電池部１７０を介してバッテリの容量情報を取得する。
【００８３】
次に、バッテリ３０のＣＰＵ３１０は、表示書換部３１２によって、容量管理部３１１で管理している容量情報に基づき、状態表示情報の書き換えを制御するための表示書換信号を生成し、バス３を介して情報表示部３４０に送出する（ＳＴ２０４）。
【００８４】
なお、電子機器１０Ｂのディスプレイ１４０に状態表示情報を表示する場合、電子機器１０ＢのＣＰＵ１１０は、電池部１７０を介して取得したバッテリ３０の容量情報に基づいて状態表示情報の書き換えを制御するための表示書換信号を生成し、ディスプレイ１４０に送出する。
【００８５】
バッテリ３０の情報表示部３４０では、電池部３３０から電力が供給され、表示書換部３１２から送られてくる表示書換信号に応じて状態表示情報の書き換えが行われる（ＳＴ２０５）。
【００８６】
情報表示部３４０は、書き換えが終了すると電力の供給が停止されるが、状態表示情報が表示されたままの状態で維持（保持）される。
【００８７】
また、ディスプレイ１４０で状態表示情報を表示している場合は、Ｉ／Ｆ１４５を経由して送られてきた表示書換信号に基づいて画面表示している状態表示情報の書き換えが行われる。
【００８８】
そして、再び、ステップＳＴ２０１の処理に戻り、上述した一連の処理が繰り返し実行される（ＳＴ２０５→ＳＴ２０１→・・・）。
【００８９】
このようにして、電子機器１０Ｂにバッテリ３０がセットされている間、定期的にバッテリ３０の情報表示部３４０に表示されている状態表示情報の書き換えが行われる。また、電子機器１０Ｂのディスプレイ１４０に表示している場合も同様に、状態表示情報の書き換えが行われる。
【００９０】
なお、電子機器１０Ｂからバッテリ３０を取り外している状態であっても、図５のフローチャートに従い、定期的にＣＰＵ３１０（容量管理部３１１、表示書換部３１２）を動作させて電池部３３０の容量情報を取得し、情報表示部３４０の状態表示情報の書き換えるようにすることも可能である。
【００９１】
図６は、電子機器１０Ｂとバッテリ３０による状態表示情報（電力の蓄積状態）の表示状態を模式的に示した図であり、図６（ａ）に示すように、電子機器１０Ｂにバッテリ３０がセットされている間、バッテリ３０の情報表示部３４０に表示させる状態表示情報（電力の蓄積状態）と同じ情報をディスプレイ１４０などに表示させることができる。
【００９２】
そして、図６（ｂ）に示すように、電子機器１０Ｂからバッテリ３０を取り外しても、バッテリ３０の情報表示部３４０は、状態表示情報を表示したままの状態で保持（維持）しているので、電子機器１０Ｂなどにセットしなくても、情報表示部３４０を見ることにより電力の蓄積状態（例えば、使用量、残容量、使用割合、残容量割合など）を確認することができる。
【００９３】
また、電子機器１０Ｂ側にバッテリ３０と同様の情報表示部３４０を設けておくことで、電子機器１０Ｂの電源をオフにした場合でも、セットされているバッテリ３０の電力容量（状態表示情報）を表示させておくことが可能となる。
【００９４】
また、バッテリの持つ容量管理部や表示書換部を電子機器側に設け、第１実施例と同様に、電子機器によってバッテリの情報表示部の書き換えを制御することで、バッテリ側の構成を簡素化することもできる。
【００９５】
なお、上述した第１実施例及び第２実施例において、情報記憶媒体２０の情報表示部２３０やバッテリ３０の情報表示部３４０で表示する状態表示情報は、図７（ａ）のようにアイコンで表示させたり、図７（ｂ）のようなグラフ状に表示させたり、図７（ｃ）、（ｄ）のように数値で表示させることもできる。
【００９６】
［第３実施例］
図８は、本発明に係る電子機器及び情報記憶媒体の構成を簡略化して示したブロック図であり、電子機器１０Ｃと情報記憶媒体２０から構成されている。
【００９７】
電子機器１０Ｃは、例えば、デジタルカメラのような機器であり、ＣＰＵ（Central Processing Unit）１１０，ＲＯＭ（Read Only Memory）１２０，ＲＡＭ（Random Access Memory）１３０，ディスプレイ１４０，インターフェース１４５（以下、Ｉ／Ｆ１４５），入力部１５０，メディアインターフェース１６０（以下、メディアＩ／Ｆ１６０）,表示画像処理部１８０などを備え、バス１Ｃを介してデータ、制御信号、電力などを送受する構成となっている。
【００９８】
ＣＰＵ１１０は、ＲＯＭ１２０に予め格納されているプログラムに従って機器内の各部を制御したり、バス１Ｃを介して入力部１５０やＲＯＭ１２０，ＲＡＭ１３０から受け取ったデータなどを演算処理して出力する。
【００９９】
また、ＣＰＵ１１０は、容量管理部１１１、表示書換部１１２、データ管理部１１３を備えている。
【０１００】
容量管理部１１１は、メディアＩ／Ｆ１６０を介して、適宜、情報記憶媒体２０に記憶されているデータの記憶容量（以下、容量情報）を取得して管理する。
【０１０１】
データ管理部１１３は、メディアＩ／Ｆ１６０を介し、情報記憶媒体２０から情報表示部２３０Ｃに表示されている表示画像情報に対応するデータの属性情報（ファイル名、データ形式、作成日時、更新日時などの情報）を適宜取得して管理し、この属性情報に基づいて表示画像処理部１８０の制御を行う。
【０１０２】
また、データ管理部１１３は、入力部１５０を介して行われる所定の選択操作などによって、情報記憶媒体２０の記憶部２２０に記憶されているデータが選択されると、メディアＩ／Ｆ１６０を介して、当該データの属性情報を取得して管理する。
【０１０３】
なお、情報記憶媒体２０に記憶されているデータとは、例えば、文字のみで構成されるテキストデータ、ＪＰＥＧ（Joint Photographic Experts Group）などの画像データ、
情報記録媒体を識別するために付加されるボリュームラベル、画像データやテキストデータなどから構成されるＨＴＭＬ（HyperText Markup Language）形式のデータ、ファイル名一覧データなどである。
【０１０４】
表示書換部１１２は、容量管理部１１１で管理している容量情報に基づいて使用量、残容量、使用割合、残量割合などを算出し、情報記憶媒体２０におけるデータの記憶状態を示す状態表示情報の書き換えを制御する表示書換信号を生成してディスプレイ１４０や情報記憶媒体２０の情報表示部２３０Ｃに送る。
【０１０５】
また、表示書換部１１２では、後述する表示画像処理部１８０で生成される表示画像情報をもとにして、情報記憶媒体２０の情報表示部２３０Ｃに表示される表示画像情報の書き換えを制御するための表示画像書換信号を生成して送出する。
【０１０６】
なお、表示画像情報とは、情報記憶媒体２０の記憶部２２０に記憶されているデータの内容を識別できる状態で示した画像などのことである。
【０１０７】
表示画像処理部１８０は、ＣＰＵ１１０（のデータ管理部１１３）の制御に従い、情報記憶媒体２０の記憶部２２０から該当データを読み出し、読み出したデータをもとにして記憶しているデータの内容を識別できる状態で示すための画像データ（表示画像情報）を生成する。
【０１０８】
また、表示画像処理部１８０では、表示不可能なデータが選択された場合（例えば、選択したデータのデコード機能がない場合など）、表示不可能であることを示す画像データ（表示画像情報）を生成することも可能である。
【０１０９】
ＲＯＭ１２０は、ＣＰＵ１１０を動作させるプログラムなどが予め記憶されており、また、ＲＡＭ１３０は、ＣＰＵ１１０のメインメモリ(作業領域)として利用される。
【０１１０】
ディスプレイ１４０は、ＣＰＵ１１０の制御に従い、Ｉ／Ｆ１４５を経由して送られてくるデータを画面表示したり、容量情報に基づいた状態表示情報（使用量、残容量、使用割合、残容量割合など）を画面表示する。
【０１１１】
入力部１５０は、ユーザの操作に応じた操作信号をＣＰＵ１１０に送り、機器に所望の動作・処理を実行させたり、機器に対して所望の設定を行う。
【０１１２】
メディアＩ／Ｆ１６０は、着脱可能な記録媒体である情報記憶媒体２０と接続し、ＣＰＵ１１０の制御に従って、バス１Ｃを介して機器内から送られてくるデータなどを情報記憶媒体２０に送出し、情報記憶媒体２０から送られてくるデータなどを受信して機器内の所定部へ送る。
【０１１３】
また、メディアＩ／Ｆ１６０は、ＣＰＵ１１０の制御に従い、情報記憶媒体２０の記憶部２２０から取得したデータやデータの容量情報、属性情報をそれぞれ表示画像処理部１８０、容量管理部１１１、データ管理部１１３へ送り、また、表示書換部１１２から送られてくる表示書換信号や表示画像書換信号を情報記憶媒体２０に送り出す。
【０１１４】
一方、情報記憶媒体２０は、例えば、メモリカードのような電子機器１０Ｃに着脱可能な記憶媒体であり、機器インターフェース２１０（以下、機器Ｉ／Ｆ２１０）、記憶部２２０，情報表示部２３０Ｃなどを備え、バス２を介して送られてくるデータ、制御信号、電力などを送受する構成となっている。
【０１１５】
機器Ｉ／Ｆ２１０は、電子機器１０ＣのメディアＩ／Ｆ１６０と接続し、バス２を介して記憶部２２０や情報表示部２３０Ｃとデータ、制御信号、電力などの送受を行う。
【０１１６】
記憶部２２０は、電子機器１０Ｃ（のＣＰＵ１１０）の制御に従い、機器Ｉ／Ｆ２１０を介して送られてくる電子機器１０Ｃからのデータを記憶したり、記憶しているデータを読み出して電子機器１０Ｃに送り出したり、記憶しているデータを消去したりする。また、機器Ｉ／Ｆ２１０を介し、電子機器１０Ｃ（の容量管理部１１１やデータ管理部１１３）から容量情報や属性情報の照会が行われる。
【０１１７】
情報表示部２３０Ｃは、電子機器１０Ｃ（のＣＰＵ１１０）の制御に従い、記憶部２２０におけるデータの記憶状態を示す状態表示情報や記憶部２２０に記憶されているデータの内容を識別できる状態で示す表示画像情報などを表示することができる表示部であり、表示状態を書き換えるときのみ電力が必要で、表示状態を維持（保持）するための電力が不要な電子ペーパーなどで形成される。
【０１１８】
そして、情報表示部２３０Ｃは、電子機器１０Ｃの制御に従い、電力が供給されると動作し、機器Ｉ／Ｆ２１０に介して送られてくる電子機器１０Ｃ（の表示書換部１１２）からの表示書換信号や表示画像書換信号に応じて、表示している状態表示情報や表示画像情報の書き換えが行われ、書き換えが終了すると電力供給が停止されるが、状態表示情報や表示画像情報を表示したままの状態で保持（維持）する。
【０１１９】
なお、電子ペーパーとは、例えば、文字やグラフィックなどの表示側に配置する透明電極と背面側の電極との間に、プラスに帯電した白い粒子（酸化チタン）とマイナスに帯電した黒い粒子（カーボンブラック）が入ったマイクロカプセルを敷き詰め、表示状態を書き換えるときのみ、電極に電圧をかけてカプセル内の白と黒の粒子の移動を操作して、文字やグラフィックを表示させ、その後は電力不要で書き換えた状態を保持できるものであり、紙のように薄く、表示状態を簡単に書き換えることができるものである。
【０１２０】
続いて、図８の電子機器及び情報記憶媒体によって、情報記憶媒体に記憶されているデータを表示するときの表示制御について、図９のフローチャートを参照しながら説明する。
【０１２１】
まず、電子機器１０ＣのＣＰＵ１１０は、メディアＩ／Ｆ１６０から情報記憶媒体２０が取り外されているか否かを確認する（ＳＴ３０１）。
【０１２２】
情報記憶媒体２０が電子機器１０Ｃから取り外されている（セットされていない）場合、表示画像情報の表示制御を終了する（ＳＴ３０１→終了）。
【０１２３】
情報記憶媒体２０がメディアＩ／Ｆ１６０にセット（接続）されている場合、電子機器１０ＣのＣＰＵ１１０は、データ管理部１１３によって、情報記憶媒体２０の情報表示部２３０Ｃに表示されている表示画像情報に対応するデータの属性情報を取得して管理する（ＳＴ３０１→ＳＴ３０２）。
【０１２４】
電子機器１０ＣのＣＰＵ１１０は、データ管理部１１３で管理している属性情報が更新されるまでの間、ステップＳＴ３０１からの処理を繰り返し実行する（ＳＴ３０２→ＳＴ３０３→ＳＴ３０１→ＳＴ３０２→・・・）。
【０１２５】
そして、データ管理部１１３で管理している属性情報が更新された場合、電子機器１０ＣのＣＰＵ１１０は、データ管理部１１３で管理している属性情報に基づき、情報記憶媒体２０の情報表示部２３０Ｃに表示されている表示画像情報に対応するデータの属性情報を更新し、該当データを情報記憶媒体２０の記憶部２２０から読み出す（ＳＴ３０３→ＳＴ３０４）。
【０１２６】
また、入力部１５０を介した所定の操作によって、情報記憶媒体２０の記憶部２２０に記憶されているデータの中から情報記憶媒体２０の情報表示部２３０Ｃに表示するデータを新たに選択することで、データ管理部１１３で管理している属性情報が更新される場合もある。
【０１２７】
このような場合、電子機器１０ＣのＣＰＵ１１０は、データ管理部１１３によって、選択されたデータの属性情報を取得し、現在管理している属性情報を更新し、新たに選択されたデータを情報記憶媒体２０の記憶部２２０から読み出す（ＳＴ３０３→ＳＴ３０４）。
【０１２８】
情報記憶媒体２０の記憶部２２０からデータが読み出されると、電子機器１０Ｃの表示画像処理部１８０は、ＣＰＵ１１０の制御に従い、情報記憶媒体２０の記憶部２２０から読み出されたデータをもとに画像データ（表示画像情報）を生成する（ＳＴ３０５）。
【０１２９】
続いて、電子機器１０ＣのＣＰＵ１１０は、表示書換部１１２によって、表示画像処理部１８０で生成された画像データ（表示画像情報）をもとに情報記憶媒体２０の情報表示部２３０Ｃに表示される表示画像情報の書き換えを制御するための表示画像書換信号を生成し、生成した表示画像書換信号をメディアＩ／Ｆ１６０を介して情報記憶媒体２０に送出する（ＳＴ３０６）。
【０１３０】
そして、情報記憶媒体２０では、機器Ｉ／Ｆ２１０を介して表示書換部１１２から送られてくる表示画像書換信号を受信すると、情報表示部２３０Ｃに電力が供給され、表示画像書換信号に応じて情報表示部２３０Ｃの表示画像情報の書き換えが行われる（ＳＴ３０７）。
【０１３１】
情報表示部２３０Ｃは、書き換えが終了すると電力の供給が停止されるが、表示画像情報が表示されたままの状態で維持（保持）される。
【０１３２】
そして、再び、ステップＳＴ３０１の処理に戻り、上述した一連の処理が繰り返し実行される（ＳＴ３０７→ＳＴ３０１→ＳＴ３０２→・・・）。
【０１３３】
このようにして、電子機器１０Ｃに情報記憶媒体２０がセットされている間、情報記憶媒体２０の属性情報が更新されると、情報記憶媒体２０の情報表示部２３０Ｃに表示されている表示画像情報の書き換えが行われる。
【０１３４】
図１０は、電子機器１０Ｃと情報記憶媒体２０による表示画像情報の表示状態を模式的に示した図であり、図１０（ａ）に示すように、電子機器１０Ｃから情報記憶媒体２０を取り外し、電力が供給されなくなった状態であっても、情報記憶媒体２０の情報表示部２３０Ｃは、表示画像情報を表示したままの状態で保持（維持）しているので、電子機器１０Ｃなどにセットしなくても、情報表示部２３０Ｃを見ることにより記憶されているデータの内容（例えば、画像データ、ファイル名、ファイル名一覧など）を確認することができる。
【０１３５】
また、図１０（ｂ）に示すように、電子機器１０Ｃに情報記憶媒体２０と同じ情報表示部２３０Ｃを設けておくことで、電子機器１０Ｃの電源をオフにした場合でも、セットされている情報記憶媒体２０の表示画像情報を表示させておくことが可能となる。
【０１３６】
更に、図１０（ｃ）に示すように、表示画像情報とともに、上述した［第１実施例]や［第２実施例]で説明した情報記憶媒体やバッテリの容量情報（状態表示情報２３１）を表示させることも可能である。
【０１３７】
なお、電子機器１０Ｃや情報記憶媒体２０などに設けた情報表示部２３０Ｃに表示される表示画像情報は、例えば、図１１（ａ）のようにテキストデータの内容を表示したり、図１１（ｂ）のようなファイル名一覧を表示したり、また、図１１（ｃ）のように画像ファイルから生成したサムネイル（縮小画像）による一覧を表示したり、図１１（ｄ）のようにＨＴＭＬ形式のデータを画像として表示させることも可能である。
【図面の簡単な説明】
【０１３８】
【図１】本願発明に係る電子機器と情報記憶媒体の主要部の構成を簡略化して示したブロック図である。
【図２】図１に示した電子機器と情報記憶媒体による状態表示情報（データの記憶状態）の表示制御のフローチャートである。
【図３】図１に示した電子機器と情報記憶媒体の状態表示情報（データの記憶状態）の表示状態を模式的に示した説明図である。
【図４】本願発明に係る電子機器とバッテリの主要部の構成を簡略化して示したブロック図である。
【図５】図４に示した電子機器とバッテリによる状態表示情報（電力の蓄積状態）の表示制御のフローチャートである。
【図６】図４に示した電子機器とバッテリによる状態表示情報（電力の蓄積状態）の表示状態を模式的に示した説明図である。
【図７】本願発明に係る情報記憶媒体やバッテリの情報表示部の表示例を示した説明図である。
【図８】本願発明に係る電子機器と情報記憶媒体によって、情報記憶媒体に記憶されているデータの内容を表示させるときの構成を簡略化して示したブロック図である。
【図９】図８に示した電子機器と情報記憶媒体によって、情報記憶媒体に記憶されているデータの内容を表示させるときの表示制御のフローチャートである。
【図１０】図８に示した電子機器とバッテリによって、情報記憶媒体に記憶されているデータ内容を表示したときの表示状態を模式的に示した説明図である。
【図１１】本願発明に係る電子機器や情報記憶媒体に設けた情報表示部に表示される表示画像情報を例示した説明図である。
【図１２】従来技術の電子機器と情報記憶媒体におけるデータ容量の表示状態を模式的に示した説明図である。
【符号の説明】
【０１３９】
１０Ａ,１０Ｂ,１０Ｃ,１０ａ；電子機器
１Ａ,１Ｂ,１Ｃ,２,３；バス
１１０,３１０；ＣＰＵ（Central Processing Unit）
１１１,３１１；容量管理部
１１２,３１２；表示書換部
１１３；データ管理部
１２０；ＲＯＭ（Read Only Memory）
１３０；ＲＡＭ（Random Access Memory）
１４０；ディスプレイ
１４５；インターフェース（Ｉ／Ｆ）
１５０；入力部
１６０；メディアインターフェース（メディアＩ／Ｆ）
１７０；電源部
１８０；表示画像処理部
２０,２０ａ；情報記憶媒体
２１０；機器インターフェース（機器Ｉ／Ｆ）
２２０；記憶部
２３０,３４０,２３０Ｃ；情報表示部
３０；バッテリ
３２０；記憶部
３３０；電池部
【図１】
2006020263.tif 000003
【図２】
2006020263.tif 000004
【図３】
2006020263.tif 000005
【図４】
2006020263.tif 000006
【図５】
2006020263.tif 000007
【図６】
2006020263.tif 000008
【図７】
2006020263.tif 000009
【図８】
2006020263.tif 000010
【図９】
2006020263.tif 000011
【図１０】
2006020263.tif 000012
【図１１】
2006020263.tif 000013
【図１２】
2006020263.tif 000014